(57)【要約】【課題】記録されるデータに対してセキュリティをかけるユーザの手間と、データを閲覧する際に認証情報を入力する際のユーザの手間を軽減することのできる端末装置を提供する。【解決手段】発信装置１が、認証情報記憶部が記憶するユーザの認証情報に基づく電界を携帯電話のユーザの体に誘起させ、端末装置（携帯電話機２）が、操作開始を検出すると、発信装置１が人体に誘起した認証情報を示す電界を検出し、その検出した電界に基づいて認証情報を検出し、予め記憶部に記憶する認証情報と、検出した認証情報とが一致すると判定された場合には、操作開始に基づく動作、例えば、端末装置（携帯電話機２）に格納されているデータの表示を行う。【選択図】図１
2012113397.tif 000002
【特許請求の範囲】
【請求項１】
人物が携帯する発信装置と、前記人物が利用する端末装置とからなる端末用認証システムであって、
前記発信装置が、
前記人物の認証情報を記憶する認証情報記憶部と、
前記認証情報に基づく電界を前記人物の体に誘起させる電界誘起部と、を備え、
前記端末装置が、
操作開始を検出する操作開始検出部と、
前記発信装置が人体に誘起した認証情報を示す電界を検出する電界検出部と、
前記検出した電界に基づいて前記認証情報を検出する認証情報検出部と、
予め記憶部に記憶する認証情報と、前記検出した認証情報とが一致するかを判定する認証処理部と、
前記記憶部に記憶する認証情報と、前記検出した認証情報とが一致すると判定された場合に、操作開始に基づく動作を行う端末制御部と、
を備えることを特徴とする端末用認証システム。
【請求項２】
前記端末制御部は、前記記憶部に記憶する認証情報と、前記検出した認証情報とが一致しない場合、前記認証情報の入力画面を出力する
ことを特徴とする請求項１に記載の端末用認証システム。
【請求項３】
人物が携帯する発信装置と、前記人物が利用する端末装置とからなる端末用認証システムにおける認証方法であって、
前記発信装置の認証情報記憶部が、前記人物の認証情報を記憶し、
前記発信装置の電界誘起部が、前記認証情報に基づく電界を前記人物の体に誘起させ、
前記端末装置の操作開始検出部が、操作開始を検出し、
前記端末装置の電界検出部が、前記発信装置が人体に誘起した認証情報を示す電界を検出し、
前記端末装置の認証情報検出部が、前記検出した電界に基づいて前記認証情報を検出し、
前記端末装置の認証処理部が、予め記憶部に記憶する認証情報と、前記検出した認証情報とが一致するかを判定し、
前記端末装置の端末制御部が、前記記憶部に記憶する認証情報と、前記検出した認証情報とが一致すると判定された場合に、操作開始に基づく動作を行う
ことを特徴とする認証方法。
【請求項４】
前記端末制御部は、前記記憶部に記憶する認証情報と、前記検出した認証情報とが一致しない場合、前記認証情報の入力画面を出力する
ことを特徴とする請求項３に記載の認証方法。
【請求項５】
前記人物の認証情報を記憶する認証情報記憶部と、
前記認証情報に基づく電界を前記人物の体に誘起させる電界誘起部と、を備えた人物が携帯する発信装置と、
前記人物が利用する端末装置と、
からなる端末用認証システムにおける、前記端末装置を、
操作開始を検出する操作開始検出手段、
前記発信装置が人体に誘起した認証情報を示す電界を検出する電界検出部と、
前記検出した電界に基づいて前記認証情報を検出する認証情報検出手段、
予め記憶部に記憶する認証情報と、前記検出した認証情報とが一致するかを判定する認証処理手段、
前記記憶部に記憶する認証情報と、前記検出した認証情報とが一致すると判定された場合に、操作開始に基づく動作を行う端末制御手段、
として機能させることを特徴とするプログラム。
【請求項６】
前記記憶部に記憶する認証情報と、前記検出した認証情報とが一致しない場合、前記端末制御手段に、前記認証情報の入力画面を出力させる
ことを特徴とする請求項５に記載のプログラム。
【発明の詳細な説明】
【技術分野】
【０００１】
本発明は、端末装置の利用においてユーザを認証する端末用認証システム及び認証方法並びにそのプログラムに関する。
【背景技術】
【０００２】
近年、携帯電話機は音声通話という通常の電話機としての機能の他に、住所録情報や電子メール、スケジュール情報、撮影画像情報、各種マルチメディアデータ等を記憶できる情報端末となってきている。それにともない、他人に見られては都合の悪い個人情報が携帯電話機に登録されることが増えている。これらの他人に見られて都合の悪い情報を、他人に見られないようにするために、それぞれの機能やデータにロックをかける機能がある。ロックを解除するためには暗証番号の入力等による認証操作が必要となり、操作性が悪化するために、データが重要だと感じていながらもロックをかけないユーザが多く存在するのも事実である。そのため、万が一携帯電話機の紛失や盗難にあった時に記憶されたデータが保護されず、また、携帯電話機を他人に使用されることがある。
なお、本願に関連する技術が特許文献１および特許文献２に開示されている。
【先行技術文献】
【特許文献】
【０００３】
【特許文献１】特開２００１−３５２２９８号公報
【特許文献２】特開２００９−１１６６８号公報
【発明の概要】
【発明が解決しようとする課題】
【０００４】
ここで、上述の特許文献１には、送信すべき情報に基づく電界を電界伝達媒体に誘起させ、この誘起した電界を用いて情報の送受信を行う装置の技術が記載されている。
また、上述の特許文献２には、発信装置が生体情報に基づく電界を人体に誘起させて、当該発信装置を保持した来訪者の生態情報に基づく認証を行う来訪者認証システムの技術が記載されている。
しかしながら、上述の技術は、携帯電話に記録されたデータに対するセキュリティをユーザの手間をかけずに行うことのできる技術ではない。
【０００５】
そこでこの発明は、上述の課題を解決することを目的とする端末用認証システム及び認証方法並びにそのプログラムを提供することを目的としている。
【課題を解決するための手段】
【０００６】
上記目的を達成するために、本発明は、人物が携帯する発信装置と、前記人物が利用する端末装置とからなる端末用認証システムであって、前記発信装置が、前記人物の認証情報を記憶する認証情報記憶部と、前記認証情報に基づく電界を前記人物の体に誘起させる電界誘起部と、を備え、前記端末装置が、操作開始を検出する操作開始検出部と、前記発信装置が人体に誘起した認証情報を示す電界を検出する電界検出部と、前記検出した電界に基づいて前記認証情報を検出する認証情報検出部と、予め記憶部に記憶する認証情報と、前記検出した認証情報とが一致するかを判定する認証処理部と、前記記憶部に記憶する認証情報と、前記検出した認証情報とが一致すると判定された場合に、操作開始に基づく動作を行う端末制御部と、を備えることを特徴とする端末用認証システムである。
【０００７】
また本発明は、人物が携帯する発信装置と、前記人物が利用する端末装置とからなる端末用認証システムにおける認証方法であって、前記発信装置の認証情報記憶部が、前記人物の認証情報を記憶し、前記発信装置の電界誘起部が、前記認証情報に基づく電界を前記人物の体に誘起させ、前記端末装置の操作開始検出部が、操作開始を検出し、前記端末装置の電界検出部が、前記発信装置が人体に誘起した認証情報を示す電界を検出し、前記端末装置の認証情報検出部が、前記検出した電界に基づいて前記認証情報を検出し、前記端末装置の認証処理部が、予め記憶部に記憶する認証情報と、前記検出した認証情報とが一致するかを判定し、前記端末装置の端末制御部が、前記記憶部に記憶する認証情報と、前記検出した認証情報とが一致すると判定された場合に、操作開始に基づく動作を行うことを特徴とする認証方法である。
【０００８】
前記人物の認証情報を記憶する認証情報記憶部と、前記認証情報に基づく電界を前記人物の体に誘起させる電界誘起部と、を備えた、人物が携帯する発信装置と、前記人物が利用する端末装置とからなる端末用認証システムにおける、前記端末装置を、操作開始を検出する操作開始検出手段、前記発信装置が人体に誘起した認証情報を示す電界を検出する電界検出部と、前記検出した電界に基づいて前記認証情報を検出する認証情報検出手段、予め記憶部に記憶する認証情報と、前記検出した認証情報とが一致するかを判定する認証処理手段、前記記憶部に記憶する認証情報と、前記検出した認証情報とが一致すると判定された場合に、操作開始に基づく動作を行う端末制御手段、として機能させることを特徴とするプログラムである。
【発明の効果】
【０００９】
本発明によれば、端末装置に記録される、セキュリティをかけることが必要なデータに対して、セキュリティをかけるユーザの手間と、そのデータを閲覧する際に認証情報を入力する際のユーザの手間を軽減することが可能となる。
【図面の簡単な説明】
【００１０】
【図１】端末用認証システムの概要を示す図である。
【図２】端末用認証システムの構成を示すブロック図である。
【図３】端末用認証システムの処理フローを示す図である。
【発明を実施するための形態】
【００１１】
以下、本発明の一実施形態による端末用認証システムを図面を参照して説明する。
図１は同実施形態による端末用認証システムの概要を示す図である。
図２は同実施形態による端末用認証システムの構成を示すブロック図である。
図１で示すように、端末用認証システムは、発信装置１と携帯電話機２（端末装置）によって構成される。発信装置１は携帯電話機２を利用するユーザがポケットなどに入れて携帯するものであり、発信装置１と携帯電話機２とは、人体に誘起された電界によって通信を行う。
【００１２】
また図２で示すように、発信装置１は、認証情報記憶部１１、制御部１２、電界誘起部１３、電極１４の各構成を備えている。
認証情報記憶部１１は、ユーザが携帯電話機２に所定の動作を行わせる際にセキュリティの解除を行うための認証情報であり、文字列や生体情報など、どのような情報であってもよい。
また、制御部１２は、発信装置１を制御する処理部である。
また電界誘起部１３は認証情報に基づいて、電界を、携帯電話機２のユーザの体に誘起させる処理部である。
また電極１４は、電界誘起部１３からの信号に基づいて人物の体に電界を誘起させる。
【００１３】
また、図２で示すように、携帯電話機２は、通信部２０、表示部２１、入力部２２、操作開始検出部２３、電界検出部２４、記憶部２５、端末制御部２６、通信制御部２９の各機能を備えている。また端末制御部２６は、認証情報検出部２７、認証処理部２８の機能を備えている。
ここで、通信部２０は基地局装置を介して他の携帯電話機２と通信を行う処理部である。
また、表示部２１は、各種情報を液晶画面等に表示する処理部である。
また、入力部２２は、テンキーなどから操作指示を入力する処理部である。
また、操作開始検出部２３は、操作指示に基づいて所定の操作開始を検出する処理部である。
また、電界検出部２４はユーザの体に誘起された電界を検出する処理部である。
また、端末制御部２６は、携帯電話機２を制御する処理部であって、電界検出部２４の検出した電界に基づいて認証情報を検出する認証情報検出部２７と、予め記憶部２５に記憶する認証情報と、認証情報検出部２７によって検出された認証情報とを比較する認証処理部２８とを有している。
また、通信制御部２９は、通信部２０の通信処理の制御を行う処理部である。
なお、携帯電話機２には、その他、携帯電話機２として動作するために必要な機能を有しているが、図２においては、本願の課題を解決するための機能ブロックについてのみ図示している。
【００１４】
そして、本実施形態においては、発信装置１が、認証情報記憶部１１の記憶するユーザの認証情報に基づく電界を携帯電話機２のユーザの体に誘起させ、携帯電話機２は、操作開始を検出すると、発信装置１が人体に誘起した認証情報を示す電界を検出し、その検出した電界に基づいて認証情報を検出し、予め記憶部２５に記憶する認証情報と、検出した認証情報とが一致すると判定された場合には、操作開始に基づく動作、例えば、携帯電話機２に格納されているデータの表示等の処理を行う。これにより、携帯電話機２に記録されるデータに対してセキュリティをかけるユーザの手間と、データを閲覧する際に認証情報を入力する際のユーザの手間を軽減することが可能となる。
【００１５】
図３は、端末用認証システムの処理フローを示す図である。
次に、端末用認証システムの処理フローについて順を追って説明する。
まず、発信装置１においては、制御部１２が認証情報記憶部１１から読み取った認証情報を電界誘起部１３に出力し、電源が続く限りにおいて、電界誘起部１３が電極１４を制御することによって電界に乗せた信号により、認証情報を送信する。なお本実施形態においては、発信装置１は、ユーザのポケットに格納されているものとする。この場合、電極１４からの強い電界によって人体にも電界が誘起するものとする。または、発信装置１の電極１４が人体に接触するようにユーザに当該発信装置１を取付けるようにしてもよい。
【００１６】
そして、携帯電話機２の入力部２２が何らかの所定の操作（例えば、セキュリティのかけられたデータの閲覧操作など）の指示を入力し（ステップＳ１０１）、操作開始検出部２３がその操作指示の情報を検出したとする（ステップＳ１０２）。なお、所定の操作は、電話をかける操作であったり、その他のファイルやフォルダを開く操作であったり、電話帳を開く操作であってもよい。操作開始検出部２３は、所定の操作を検出すると、端末制御部２６に認証処理の開始を通知する。
【００１７】
すると端末制御部２６の認証情報検出部２７が、電界検出部２４に電界検出の指示信号を出力する。そして、電界検出部２４は、ユーザの体に誘起された電界を検出する（ステップＳ１０３）。なお、人体の電界の検出に基づいて情報通信を行う技術については、上述した特許文献１や特許文献２に記載されたような公知の技術を利用するものとする。その他、人体に電界を誘起させ、その電界を検出することによって通信を行う技術であれば、どのような技術を利用するようにしてもよい。
【００１８】
そして、電界検出部２４は検出した電界の振幅や周波数の遷移を端末制御部２６に通知する。そして、認証情報検出部２７は、電界の振幅や周波数の遷移に基づいて、その電界に乗せられた信号に基づいて、認証情報を検出する（ステップＳ１０４）。次に、認証処理部２８は、記憶部２５から予め記録されている認証情報を読取り、その認証情報と、認証情報検出部２７によって検出された認証情報とを比較する認証処理を行う（ステップＳ１０５）。この認証処理において、２つの認証情報が一致した場合には、認証処理部２８は認証成功と判定し、一致しない場合には認証不成功と判定する。
【００１９】
そして、認証成功と判定された場合には、端末制御部２６が、入力部２２において入力した所定の操作の指示に基づく動作を行う（ステップＳ１０６）。例えば、その操作の指示に基づいて、セキュリティのかけられたデータを記憶部２５から読み取って、表示部２１に表示する処理を行う。
一方、認証不成功と判定された場合には、端末制御部２６は表示部２１に認証情報入力画面を表示する（ステップＳ１０７）。そして、その認証情報入力画面においてユーザより認証情報（例えば認証情報を示す文字列）などが入力されると、その認証情報を入力部２２が入力し（ステップＳ１０８）、端末制御部２６へ通知する。そして、認証処理部２８が、記憶部２５から予め記録されている認証情報を読取り、その認証情報と、入力部２２において入力した認証情報とを比較する認証処理を行う（ステップＳ１０９）。そして認証成功の場合には、入力部２２において入力した所定の操作の指示に基づく動作を行う。また、認証不成功の場合には、再度認証情報入力画面を表示部２１へ出力する。
【００２０】
上述の処理によれば、携帯電話機２に記録される、セキュリティをかけることが必要なデータに対して、セキュリティをかけるユーザの手間と、そのデータを閲覧する際に認証情報を入力する際のユーザの手間を軽減することが可能となる。
【００２１】
また、データにセキュリティをかけたり、そのデータを閲覧する際の手間の軽減の他に、セキュリティのかかった動作処理を、ユーザの手間をかけずに行うことができる。
【００２２】
なお、上述の実施形態においては端末装置が携帯電話機２である場合の例について説明したが、端末装置として、パソコン、デジカメ、電子手帳、ＰＤＡ（Personal Digital Assistant）などであってもよい。
【００２３】
上述の発信装置１や携帯電話機２は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２５】
１・・・発信装置、２・・・携帯電話機、１１・・・認証情報記憶部、１２・・・制御部、１３・・・電界誘起部、１４・・・電極、２０・・・通信部、２１・・・表示部、２２・・・入力部、２３・・・操作開始検出部、２４・・・電界検出部、２５・・・記憶部、２６・・・端末制御部、２７・・・認証情報検出部、２８・・・認証処理部、２９・・・通信制御部
【図１】
2012113397.tif 000003
【図２】
2012113397.tif 000004
【図３】
2012113397.tif 000005